(57)【要約】【課題】  テニス、ソフトテニス、バトミントン、卓球、野球などのスポーツで使用されるボールやシャトルコックを好適に収納や運搬をすることができるとともに椅子として使用することも可能な使い勝手に優れた折り畳みバッグを提供することを目的とする。【解決手段】  有底で上部を開放した胴部と、該胴部の上部に被せる蓋部とからなるバッグであって、該胴部には板材を水平方向断面が多角形をなすとともに折り畳み可能に複数枚内装し、多角形の該胴部の底部には多角形の内径に相応した形状のインナー部材を着脱自在に嵌装し、該蓋部には該胴部の多角形の外形に相応した形状の天板材を内装して構成した。【選択図】図１
0003157799.tif 000002
【実用新案登録請求の範囲】
【請求項１】
有底で上部を開放した胴部と、該胴部の上部に被せる蓋部とからなるバッグであって、該胴部には板材を水平方向断面が多角形をなすとともに折り畳み可能に複数枚内装し、多角形の該胴部の底部には多角形の内径に相応した形状のインナー部材を着脱自在に嵌装し、該蓋部には該胴部の多角形の外径に相応した形状の天板材を内装して構成したことを特徴とする折り畳みバッグ。
【請求項２】
該胴部の水平方向断面が８角形をなすとともに折り畳み可能に８枚の板材を内装したことを特徴とする請求項１に記載の折り畳みバッグ。
【考案の詳細な説明】
【技術分野】
【０００１】  本考案は、折り畳み可能なバッグに関し、特にテニス、ソフトテニス、バトミントン、卓球、野球などのスポーツで使用されるボールやシャトルコックを好適に収納や運搬することができるとともに椅子として使用することも可能な使い勝手に優れた折り畳みバッグに関する。
【背景技術】
【０００２】  従来、テニス、ソフトテニス、バトミントン、卓球、野球などのスポーツで使用されるボールやシャトルコックは、便宜的に買い物カゴや洗濯物カゴなどを用いて収納や運搬をすることが一般的である。このようなスポーツシーンにおいて使い勝手に優れた折り畳みバッグは特に提案されていないのが現状である。【０００３】  また、折り畳みバッグの一般的な技術としては、買い物時によく使用されるものが種々提案されている。これらのバッグは、不使用時には折り畳んでコンパクトにすることができるので買い物時に荷物が増えたときやその他の様々な場面において有効に活用されている。また、コンパクトに折り畳むことができるように柔軟性に富んだ生地などから形成されていることが多いので床に置いてもそのまま物品を放り込める状態や自立した状態にはならない。そのため一般的には、バッグに備えられた肩掛紐や取っ手を用いて肩掛けや手提げバッグとして使用される。【０００４】  そこで、特開２００２−３５５１１１号公報（特許文献１）に開示された「折畳式カバン」は、使用時に広げて使用できる折畳式カバンで、使用時は広げると底面側に硬質内底板４１が収納されてなるので、収納物の重さでカバンが局所的に垂れ下がることがない。また、硬質内底板４１に加えて、硬質内側面板４２，４２と、硬質内上面板４３とを収納し、しかも面状ファスナー３１ａ，３１ｂ，３２ａ，３２ｂを設けたので、使用時は硬質内側面板４２，４２と、硬質内上面板４３とが収納部本体１０の内面に確実に連結して、常に直方体又は立方体形状を保持し、体裁がよく持ちやすい折畳式カバンとなっている。
【先行技術文献】
【特許文献】
【０００５】
【特許文献１】  特開２００２−３５５１１１号公報
【考案の概要】
【考案が解決しようとする課題】
【０００６】  ところで、テニスやバトミントンなどのボールやシャトルコックは、単に便宜的に買い物カゴや洗濯物カゴなどを用いて収納や運搬をされているのであって、このようなスポーツシーンにおいて使い勝手に優れた折り畳みバッグは特に提案されていないのが現状である。【０００７】  また、特許文献１の折畳式カバンにあっては、従来の折り畳みカバンの使用時における収納物の形状に応じて大きく変形したり、収納物の重みで垂れ下がった部位が地面や床面等に接して持ちづらいカバンとなってしまうという課題を解決したものであるが、収納性や強度といった面で特に配慮されたものではないために、単に使用時において直方体又は立方体形状を保持して使い勝手を向上させたことに留まるものである。【０００８】  そこで本考案は、これらの課題を解決するとともに、テニス、ソフトテニス、バトミントン、卓球、野球などのスポーツで使用されるボールやシャトルコックを好適に収納や運搬をすることができるとともに椅子として使用することも可能な使い勝手に優れた折り畳みバッグを提供することを目的とするものである。
【課題を解決するための手段】
【０００９】  有底で上部を開放した胴部と、該胴部の上部に被せる蓋部とからなるバッグであって、該胴部には板材を水平方向断面が多角形をなすとともに折り畳み可能に複数枚内装し、多角形の該胴部の底部には多角形の内径に相応した形状のインナー部材を着脱自在に嵌装し、該蓋部には該胴部の多角形の外径に相応した形状の天板材を内装して構成したことで解決される。【００１０】  また、該胴部の水平方向断面が８角形をなすとともに折り畳み可能に８枚の板材を内装したことで解決される。
【考案の効果】
【００１１】  有底で上部を開放した胴部と、該胴部の上部に被せる蓋部とからなるバッグであって、該胴部には板材を水平方向断面が多角形をなすとともに折り畳み可能に複数枚内装し、多角形の該胴部の底部には多角形の内径に相応した形状のインナー部材を着脱自在に嵌装し、該蓋部には該胴部の多角形の外径に相応した形状の天板材を内装して構成したので、胴部の多角形形状が確実に保持されるとともに大きな開放部を実現した。これにより、テニス、ソフトテニス、バトミントン、卓球、野球などのスポーツで使用されるボールやシャトルコックを、離れた位置から放り込むといったラフな使い方もでき、取り出す際にも容易で使い勝手の向上を実現させた。また、蓋部には天板材が備えられているのでスポーツシーンの観戦用の椅子として使用することも可能とした。さらに、不使用時に折り畳む際は、胴部に嵌装されたインナー部材を取り外すことで容易に折り畳むことができ、蓋部とインナー部材を重ね合わせて別途用意される収納ケースに収めることでコンパクトに収納することが可能な使い勝手に優れた折り畳みバッグを提供することを実現した。
【図面の簡単な説明】
【００１２】
【図１】本考案の構成を示す斜視図である。
【図２】本考案の使用状態の正面図である。
【図３】本考案の胴部の折り畳み状態を示す図である。
【図４】本考案の蓋部の折り畳み状態を示す図である。
【図５】本考案の収納状態を示す図である。
【考案を実施するための形態】
【００１３】  次に、本考案の折り畳みバッグについて、図面を参照して詳細に説明する。図１は本考案の構成を示す斜視図である。図２は本考案の使用状態の正面図である。
【００１４】  本考案の折り畳みバッグは、図１に示されるように、胴部（１）、蓋部（２）、インナー部材（３）から構成される。また、図２に示されるように、胴部（１）は、上部を開放したポリエステルやターポリンなどの柔軟性を有する外装材（１ａ）の中に、木材合板や樹脂材などからなる強度に優れた板材（１ｂ）を水平方向断面が多角形をなすとともに折り畳み可能に複数枚内装して構成される。図において多角形は８角形で表しているので、板材（１ｂ）は８枚として構成される。
【００１５】  胴部（１）の底部には、その多角形および内径に相応した形状のインナー部材（３）が着脱自在に嵌装され、胴部（１）の多角形の形状を強固に維持する。また、インナー部材（３）は、板材（１ｂ）と同様に木材合板や樹脂材などからなる強度に優れた板材から構成される。
【００１６】  蓋部（２）は、胴部（１）の開放された上部にスカート部（２ａ）を嵌め被せて、胴部（１）の蓋として構成される。蓋部（２）の上部には、天板材（２ｂ）とその上方にクッション部（２ｃ）を備えてなり、天板材（２ｂ）は、板材（１ｂ）と同様に木材合板や樹脂材などからなる強度に優れた板材から構成され、胴部（１）の多角形および外径に相応した形状として、蓋部（２）を胴部（１）に被せて蓋をすることで、胴部（１）の多角形をなす板材（１ｂ）の上端辺に載置されることになるので耐荷重性能を備えるとともに、クッション部（２ｃ）と合わせて椅子として使用することができる。
【００１７】  ベルト（４）は、胴部（１）の側面に取り付け部分が対向するように備えられ、運搬する際の肩掛けベルト、手提げベルトとして使い勝手を向上させた。
【００１８】  図３は、胴部（１）の折り畳み状態を示す図である。（Ａ）の水平方向の断面が多角形形状を、（Ｂ）に示すように内側に折り込むことで、（Ｃ）に示すように薄く折り畳まれる。
【００１９】  図４は、蓋部（２）の折り畳み状態を示す図である。蓋部（２）のスカート部（２ａ）を図４に示すように折り畳む。スカート部（２ａ）は、胴部（１）の外装材（１ａ）と同様のポリエステルやターポリンなどの柔軟性を有する材質からなるので容易に折り畳むことが可能である。
【００２０】  図５は、図３および図４の如く折り畳んだ胴部（１）と蓋部（２）、そしてインナー部材（３）を収納ケース（５）に収納した状態を示すものであり、不使用時においてはコンパクトになることを示している。なお、収納ケース（５）の態様については特に拘るものはなく、公知の袋状のもの、スライドファスナーや面ファスナーで入れ口を開閉する構成のものを相応するサイズに形成すれば良い。
【００２１】  以上のように構成された本考案の折り畳みバッグは、胴部（１）の板材（１ｂ）とインナー部材（３）とで、多角形形状が確実に保持されるとともに大きな開放部を実現した。これにより、テニス、ソフトテニス、バトミントン、卓球、野球などのスポーツで使用されるボールやシャトルコックを、離れた位置から放り込むといったラフな使い方もでき、取り出す際にも容易で使い勝手に優れる。また、蓋部（２）には天板材（２ｂ）が備えられているのでスポーツシーンの観戦用の椅子として使用することも可能とした。さらに不使用時に折り畳む際は、胴部（１）に嵌装されたインナー部材（３）を取り外すことで容易に折り畳むことができ、蓋部（２）とインナー部材（３）を重ね合わせて別途用意される収納ケース（５）に収めることでコンパクトに収納することが可能な使い勝手に優れた折り畳みバッグを提供することを実現した。
【００２２】  なお、本考案の胴部（１）の水平方向断面は複数枚数の板材（１ｂ）によって多角形としたが４角形以上の多角形であればよい。また、胴部（１）の外装材（１ａ）を、防水性を有する生地を利用して、その継ぎ目やミシン目をシーリングや高周波溶着することで、水バケツとして使用することも可能であり、テニス、ソフトテニス、バトミントン、卓球、野球などのボールやシャトルコックを収納するといった用途以外でも、キャンプやフィッシングなどレジャーシーンでも幅広く有効に使用することが可能である。
【符号の説明】
【００２３】  １          胴部
１ａ        外装材
１ｂ        板材
２          蓋部
２ａ        スカート部
２ｂ        天板材
２ｃ        クッション部
３          インナー板材
４          ベルト
５          収納ケース
【図１】
0003157799.tif 000003
【図２】
0003157799.tif 000004
【図３】
0003157799.tif 000005
【図４】
0003157799.tif 000006
【図５】
0003157799.tif 000007